(57)【要約】【課題】保存装置にコンテンツの再生情報を保存し、コンテンツの再生時に前記再生情報を判読し、再生中断した地点から再び受信して再生し得るようにした移動通信端末機及びその方法を提供する。【解決手段】本発明による移動通信端末機のコンテンツ再生方法は、サーバに接続し、開始された１つ以上のコンテンツのうち特定のコンテンツを選択する段階と、前記選択した特定のコンテンツに関する以前の再生情報が保存装置に保存されているかを検索する段階と、前記検索の結果により、前記再生情報を判読して前記特定のコンテンツを前記再生情報による特定の地点から伝送するように前記サーバに要求する段階と、前記特定のコンテンツを前記特定の地点から受信して再生する段階と、を含むことを特徴とする。【選択図】図１
2007097163.tif 000002
【特許請求の範囲】
【請求項１】
サーバに接続し、開始された１つ以上のコンテンツのうち特定のコンテンツを選択する段階と、
前記選択した特定のコンテンツに関する以前の再生情報が保存装置に保存されているかを検索する段階と、
前記検索の結果により、前記再生情報を判読して前記特定のコンテンツを前記再生情報による特定の地点から伝送するように前記サーバに要求する段階と、
前記特定のコンテンツを前記特定の地点から受信して再生する段階と、を含むことを特徴とする移動通信端末機のコンテンツ再生方法。
【請求項２】
前記再生段階中に前記コンテンツの再生中止命令が入力された場合、前記保存装置の前記特定のコンテンツに関する再生情報を更新し、前記コンテンツの再生を中止する段階をさらに含むことを特徴とする請求項１に記載の移動通信端末機のコンテンツ再生方法。
【請求項３】
前記検索の結果、前記再生情報が前記保存装置に存在しない場合、前記サーバに最初の地点から前記特定のコンテンツを伝送することを要求する段階と、
前記特定のコンテンツを受信して再生する段階と、をさらに含むことを特徴とする請求項１に記載の移動通信端末機のコンテンツ再生方法。
【請求項４】
前記再生段階中に前記コンテンツの再生中止命令が入力された場合、前記保存装置に前記特定のコンテンツに関する再生情報を保存し、前記コンテンツの再生を中止する段階をさらに含むことを特徴とする請求項３に記載の移動通信端末機のコンテンツ再生方法。
【請求項５】
前記再生情報は、クッキーからなることを特徴とする請求項１に記載の移動通信端末機のコンテンツ再生方法。
【請求項６】
前記再生情報は、前記特定のコンテンツの識別子と、既に再生された地点を含むことを特徴とする請求項１に記載の移動通信端末機のコンテンツ再生方法
【請求項７】
前記特定のコンテンツの識別子は、前記特定のコンテンツのコンテンツ名、著作権者、コンテンツ供給者、総再生時間の少なくとも１つからなることを特徴とする移動通信端末機のコンテンツ再生方法。
【請求項８】
前記既に再生された地点は、既に再生された時間又は既に再生されたフレーム数に関する情報からなることを特徴とする請求項６に記載の移動通信端末機のコンテンツ再生方法。
【請求項９】
前記再生情報は、前記特定のコンテンツのアドレスをさらに含むことを特徴とする請求項６に記載の移動通信端末機のコンテンツ再生方法。
【請求項１０】
前記特定のコンテンツのアドレスは、ＵＲＬからなることを特徴とする請求項８に記載の移動通信端末機のコンテンツ再生方法。
【請求項１１】
前記コンテンツは、マルチメディアであることを特徴とする請求項１に記載の移動通信端末機のコンテンツ再生方法。
【請求項１２】
再生中断したコンテンツが選択される段階と、
前記選択されたコンテンツに関する以前の再生情報を保存装置から判読してサーバに前記再生情報による特定の地点からの伝送を要求する段階と、  
前記特定のコンテンツを前記特定の地点から受信して再生する段階と、を含むことを特徴とする移動通信端末機のコンテンツ再生方法。
【請求項１３】
前記再生段階中に前記コンテンツの再生中止命令が入力された場合、前記保存装置の前記特定のコンテンツに関する再生情報を更新し、前記コンテンツの再生を中止する段階をさらに含むことを特徴とする請求項１２に記載の移動通信端末機のコンテンツ再生方法。
【請求項１４】
前記再生中断したコンテンツの選択段階は、
サーバに接続し、開始された１つ以上のコンテンツのうち特定のコンテンツを選択する段階と、
前記選択した特定のコンテンツに関する再生情報が保存装置に保存されているかを検索する段階と、
前記保存装置に前記選択した特定のコンテンツに関する再生情報がある場合、前記特定のコンテンツが再生中断したコンテンツであると決定する段階と、からなることを特徴とする請求項１２に記載の移動通信端末機のコンテンツ再生方法。
【請求項１５】
前記選択段階は、
再生中断した１つ以上のコンテンツのリストを表示する段階と、
前記表示されたリストから特定のコンテンツが選択される段階と、からなることを特徴とする請求項１２に記載の移動通信端末機のコンテンツ再生方法。
【請求項１６】
前記表示段階は、
前記保存装置に保存されている前記再生情報を総合及び体系化して表示することを特徴とする請求項１５に記載の移動通信端末機のコンテンツ再生方法。
【請求項１７】
前記表示段階は、
サーバに接続して前記再生中断した１つ以上のコンテンツのリストを要求した後、前記リストを受信して表示することを特徴とする請求項１５に記載の移動通信端末機のコンテンツ再生方法。
【請求項１８】
前記再生情報は、クッキーからなることを特徴とする請求項１２に記載の移動通信端末機のコンテンツ再生方法。
【請求項１９】
前記再生情報は、前記特定のコンテンツの識別子と、既に再生された地点を含むことを特徴とする請求項１２に記載の移動通信端末機のコンテンツ再生方法
【請求項２０】
前記特定のコンテンツの識別子は、前記特定のコンテンツのコンテンツ名、著作権者、コンテンツ供給者、総再生時間の少なくとも１つからなることを特徴とする請求項１９に記載の移動通信端末機のコンテンツ再生方法。
【請求項２１】
前記既に再生された地点は、既に再生された時間又は既に再生されたフレーム数に関する情報からなることを特徴とする請求項１９に記載の移動通信端末機のコンテンツ再生方法。
【請求項２２】
前記再生情報は、前記特定のコンテンツのＵＲＬをさらに含むことを特徴とする請求項１９に記載の移動通信端末機のコンテンツ再生方法。
【請求項２３】
前記再生情報は、前記サーバのユーザのＩＤ及びパスワードをさらに含むことを特徴とする請求項１９に記載の移動通信端末機のコンテンツ再生方法。
【請求項２４】
端末機がサーバに接続し、開始された１つ以上のコンテンツのうち特定のコンテンツを選択する段階と、
前記選択された特定のコンテンツに関する前記端末機の以前のセッション情報がセッションデータベース（ＤＢ）に存在するかを前記サーバが検索する段階と、
前記サーバが前記検索の結果によって前記セッション情報を判読して前記端末機に前記特定のコンテンツを前記セッション情報による特定の地点から伝送する段階と、を含むことを特徴とするサーバのコンテンツ提供方法。
【請求項２５】
前記端末機が前記選択したコンテンツを全て再生完了した場合、前記選択したコンテンツに関する前記セッション情報は、前記セッションデータベースから削除されることを特徴とする請求項２４に記載のサーバのコンテンツ提供方法。
【請求項２６】
前記端末機が前記選択したコンテンツを再生中断した場合、前記選択したコンテンツに関する前記セッション情報は、前記セッションデータベースで前記再生が中断された地点に更新反映されることを特徴とする請求項２４に記載のサーバのコンテンツ提供方法。
【請求項２７】
前記セッション情報が存在する場合、前記サーバが前記端末機に前記特定の地点から再生するか、あるいは最初の地点から再生するか確認する段階をさらに含み、
ここで、前記端末機が前記特定の地点を選択した場合、前記サーバが前記伝送段階を行い、
前記端末機が最初の地点を選択した場合、前記サーバが前記セッション情報を削除して前記端末機に前記コンテンツを最初の地点から伝送することを特徴とする請求項２４に記載のサーバのコンテンツ提供方法。
【請求項２８】
ＲＦ送受信部と、
ディスプレイ部と、
サウンド出力部と、
コンテンツに関する再生情報を保存し得る保存装置と、
前記ＲＦ送受信部によりサーバからコンテンツを受信し、前記ディスプレイ部及び前記サウンド出力部により再生し得るように、前記ＲＦ送受信部、前記ディスプレイ部、前記サウンド出力部、前記保存装置を制御し得るコントローラと、を含み、  
ここで、該コントローラは、ユーザが再生しようとする特定のコンテンツが以前に再生中断したことがあるか否かを前記保存装置の前記再生情報により判断し、該判断の結果、前記特定のコンテンツが以前に再生中断した場合には、前記サーバに前記特定のコンテンツを前記再生情報による特定の地点から伝送するように要求し、前記地点から再生し得ることを特徴とする移動通信端末機。
【請求項２９】
前記再生情報は、
前記特定のコンテンツのコンテンツ名、アドレス、著作権者、コンテンツ供給者、総再生時間の少なくとも１つからなる識別子と、既に再生された時間と、を含むことを特徴とする請求項２８に記載の移動通信端末機。
【請求項３０】
ネットワークインタフェースと、
端末機が要求するコンテンツに関するセッション情報を保存し得る保存装置と、
前記ネットワークインタフェースを介して端末機から要求されたコンテンツを送信し得るように、前記ネットワークインタフェース及び前記保存装置を制御し得るコントローラと、を含み、
ここで、該コントローラは、前記端末機が要求した特定のコンテンツが以前に伝送中断したことがあるか否かを前記保存装置の前記セッション情報により判断し、該判断の結果、前記特定のコンテンツが以前に伝送中断した場合には、前記特定のコンテンツを前記セッション情報による特定の地点から再び伝送し得ることを特徴とするサーバ。
【請求項３１】
前記セッション情報は、コンテンツの識別子、ログイン情報、以前のセッション時間からなることを特徴とする請求項３０に記載のサーバ。
【発明の詳細な説明】
【技術分野】
【０００１】
本発明は、移動通信端末機及びその方法に関し、特に、マルチメディアコンテンツを再生し得る移動通信端末機及びその方法に関する。
【背景技術】
【０００２】
最近、移動通信及び情報産業技術が飛躍的に発展するにつれて、需要者は、移動通信端末機を購買する時、より進んだ機能を有する製品を好み、選択している。
【０００３】
このような需要者の購買傾向に従って、移動通信端末機メーカは他社より先に、より進んだ多様な機能を有する移動通信端末機を商品化するために総力をあげており、これによって最近は、カラー・ディスプレイ装置を備えた移動通信端末機が商品化されている。さらに、移動通信端末機メーカは、前記カラー・ディスプレイ装置を利用してマルチメディアコンテンツを再生し得る移動通信端末機を商品化しており、最近は、移動通信ネットワークの速度の発達によってマルチメディアコンテンツをサーバからストリーミング方式で受信して再生し得る移動通信端末機も登場している。
【発明の開示】
【発明が解決しようとする課題】
【０００４】
しかし、従来のように移動通信端末機がマルチメディアコンテンツをストリーミング方式で受信して再生している途中にユーザが前記コンテンツの再生を中止するか、又は接続状態の不良によって前記コンテンツの一部しか再生されなかった場合、その後ユーザが再び前記コンテンツを再生する場合には、前記コンテンツが以前に再生されたか否かに関係なく、再び最初から再生されるという問題点があった。また、これにより、ユーザは高額の通信料金を負担しなければならないという問題点があった。
【０００５】
従って、本発明は、前記問題点を解決するためになされたもので、保存装置にコンテンツの再生情報を保存し、コンテンツの再生時に前記再生情報を判読し、再生中断した地点から再び受信して再生し得るようにした移動通信端末機及びその方法を提供することを目的とする。
【０００６】
また、本発明は、保存装置に特定のコンテンツに関する端末機とのセッション情報を保存し、その後前記特定のコンテンツを端末機が再び送信要求した場合、前記保存装置を判読して送信が中断した部分から再び送信し得るサーバ及びその方法を提供することを目的とする。
【課題を解決するための手段】
【０００７】
前記目的を達成するために、本発明による移動通信端末機のコンテンツ再生方法は、サーバに接続し、開始された１つ以上のコンテンツのうち特定のコンテンツを選択する段階と、前記選択した特定のコンテンツに関する以前の再生情報が保存装置に保存されているかを検索する段階と、前記検索の結果により、前記再生情報を判読して前記特定のコンテンツを前記再生情報による特定の地点から伝送するように前記サーバに要求する段階と、前記特定のコンテンツを前記特定の地点から受信して再生する段階と、を含むことを特徴とする。
【０００８】
好ましくは、前記コンテンツ再生方法は、前記検索の結果、前記再生情報が前記保存装置に存在しない場合、前記サーバに最初の地点から前記特定のコンテンツを伝送することを要求する段階と、前記特定のコンテンツを最初の地点から受信して再生する段階と、をさらに含む。
【０００９】
さらに、好ましくは、前記コンテンツ再生方法は、前記再生段階中に前記コンテンツの再生中止命令が入力された場合、前記保存装置に前記特定のコンテンツに関する再生情報を保存又は更新し、前記コンテンツの再生を中止する段階をさらに含む。
【００１０】
ここで、前記再生情報は、好ましくは、前記特定のコンテンツの識別子と、既に再生された地点を含む。また、前記識別子は、好ましくは、前記特定のコンテンツのコンテンツ名、著作権者、コンテンツ供給者、総再生時間の少なくとも１つからなる。さらに、前記既に再生された地点は、好ましくは、既に再生された時間又は既に再生されたフレーム数に関する情報からなる。さらに、前記再生情報は、好ましくは、前記特定のコンテンツのアドレス、すなわち、ＵＲＬ（Ｕｎｉｆｏｒｍ  Ｒｅｓｏｕｒｃｅ  Ｌｏｃａｔｏｒ）をさらに含む。
【００１１】
一方、前記目的を達成するために、本発明による移動通信端末機のコンテンツ再生方法は、再生中断したコンテンツが選択される段階と、前記選択されたコンテンツに関する以前の再生情報を保存装置から判読してサーバに前記再生情報による特定の地点からの伝送を要求する段階と、前記特定のコンテンツを前記特定の地点から受信して再生する段階と、を含むことを特徴とする。
【００１２】
ここで、前記再生中断したコンテンツの選択段階は、好ましくは、サーバに接続し、開始された１つ以上のコンテンツのうち特定のコンテンツを選択する段階と、前記選択した特定のコンテンツに関する再生情報が保存装置に保存されているかを検索する段階と、前記保存装置に前記選択した特定のコンテンツに関する再生情報がある場合、前記特定のコンテンツが再生中断したコンテンツであると決定する段階と、からなる。
【００１３】
また、前記再生中断したコンテンツの選択段階は、さらに好ましくは、再生中断した１つ以上のコンテンツのリストを表示する段階と、前記表示されたリストから特定のコンテンツが選択される段階と、からなる。ここで、前記表示段階は、好ましくは、前記保存装置に保存されている前記再生情報を総合及び体系化して表示するか、又はサーバに接続して前記再生中断した１つ以上のコンテンツのリストを要求した後、前記リストを受信して表示する。
【００１４】
好ましくは、前記再生情報は、前述したように、前記特定のコンテンツの識別子と、既に再生された地点を含む。また、前記再生情報は、好ましくは、前記特定のコンテンツのアドレス、すなわち、ＵＲＬ並びにユーザのＩＤ及びパスワードをさらに含む。ここで、前記ユーザのＩＤ及びパスワードは、ユーザがサーバに接続する煩わしい過程を省略し得るようにするためである。
【００１５】
一方、前記目的を達成するために、本発明によるサーバのコンテンツ提供方法は、端末機がサーバに接続し、開始された１つ以上のコンテンツのうち特定のコンテンツを選択する段階と、前記選択された特定のコンテンツに関する前記端末機の以前のセッション情報がセッションデータベース（ＤＢ）に存在するかを前記サーバが検索する段階と、前記サーバが前記検索の結果によって前記セッション情報を判読して前記端末機に前記特定のコンテンツを特定の地点から伝送する段階と、を含むことを特徴とする。
【００１６】
また、好ましくは、前記セッション情報が存在する場合、前記サーバが前記端末機に前記特定の地点から再生するか、あるいは最初の地点から再生するか確認する段階をさらに含み、ここで、前記端末機が前記特定の地点を選択した場合、前記サーバが前記伝送段階を行い、前記端末機が最初の地点を選択した場合、前記サーバが前記セッション情報を削除して前記端末機に前記コンテンツを最初の地点から伝送する。
【００１７】
また、好ましくは、前記端末機が前記選択したコンテンツを再生中断した場合、前記選択されたコンテンツに関する前記セッション情報は、前記セッションデータベースで前記再生が中断された地点に更新反映され得る。
【００１８】
さらに、好ましくは、前記セッション情報は、コンテンツアドレスと、コンテンツ識別子と、ログイン情報と、セッション時間とを含む。ここで、前記セッション時間は、移動通信端末機にマルチメディアコンテンツを送信した時間であり、好ましくは、実際に送信した時間から約１０秒引いた時間である。
【００１９】
一方、前記目的を達成するために、本発明による移動通信端末機は、ＲＦ送受信部と、ディスプレイ部と、サウンド出力部と、コンテンツに関する再生情報を保存し得る保存装置と、前記ＲＦ送受信部によりサーバからコンテンツを受信し、前記ディスプレイ部及び前記サウンド出力部により再生し得るように、前記ＲＦ送受信部、前記ディスプレイ部、前記サウンド出力部、前記保存装置を制御し得るコントローラと、を含み、ここで、該コントローラは、ユーザが再生しようとする特定のコンテンツが以前に再生中断したことがあるか否かを前記保存装置の前記再生情報により判断し、該判断の結果、前記特定のコンテンツが以前に再生中断した場合には、前記サーバに前記特定のコンテンツを前記再生情報による特定の地点から伝送するように要求し、前記地点から再生し得ることを特徴とする。
【００２０】
一方、前記目的を達成するために、本発明によるサーバは、ネットワークインタフェースと、端末機が要求するコンテンツに関するセッション情報を保存し得る保存装置と、前記ネットワークインタフェースを介して端末機から要求されたコンテンツを送信し得るように、前記ネットワークインタフェース及び前記保存装置を制御し得るコントローラと、を含み、ここで、該コントローラは、前記端末機が要求した特定のコンテンツが以前に伝送中断したことがあるか否かを前記保存装置の前記セッション情報により判断し、該判断の結果、前記特定のコンテンツが以前に伝送中断された場合には、前記特定のコンテンツを前記セッション情報による特定の地点から再び伝送し得ることを特徴とする。
【００２１】
上記目的を達成するために、本発明は、例えば、以下の手段を提供する。
（項目１）
サーバに接続し、開始された１つ以上のコンテンツのうち特定のコンテンツを選択する段階と、
上記選択した特定のコンテンツに関する以前の再生情報が保存装置に保存されているかを検索する段階と、
上記検索の結果により、上記再生情報を判読して上記特定のコンテンツを上記再生情報による特定の地点から伝送するように上記サーバに要求する段階と、
上記特定のコンテンツを上記特定の地点から受信して再生する段階と、を含むことを特徴とする移動通信端末機のコンテンツ再生方法。
（項目２）
上記再生段階中に上記コンテンツの再生中止命令が入力された場合、上記保存装置の上記特定のコンテンツに関する再生情報を更新し、上記コンテンツの再生を中止する段階をさらに含むことを特徴とする項目１に記載の移動通信端末機のコンテンツ再生方法。
（項目３）
上記検索の結果、上記再生情報が上記保存装置に存在しない場合、上記サーバに最初の地点から上記特定のコンテンツを伝送することを要求する段階と、
上記特定のコンテンツを受信して再生する段階と、をさらに含むことを特徴とする項目１に記載の移動通信端末機のコンテンツ再生方法。
（項目４）
上記再生段階中に上記コンテンツの再生中止命令が入力された場合、上記保存装置に上記特定のコンテンツに関する再生情報を保存し、上記コンテンツの再生を中止する段階をさらに含むことを特徴とする項目３に記載の移動通信端末機のコンテンツ再生方法。
（項目５）
上記再生情報は、クッキーからなることを特徴とする項目１に記載の移動通信端末機のコンテンツ再生方法。
（項目６）
上記再生情報は、上記特定のコンテンツの識別子と、既に再生された地点を含むことを特徴とする項目１に記載の移動通信端末機のコンテンツ再生方法
（項目７）
上記特定のコンテンツの識別子は、上記特定のコンテンツのコンテンツ名、著作権者、コンテンツ供給者、総再生時間の少なくとも１つからなることを特徴とする移動通信端末機のコンテンツ再生方法。
（項目８）
上記既に再生された地点は、既に再生された時間又は既に再生されたフレーム数に関する情報からなることを特徴とする項目６に記載の移動通信端末機のコンテンツ再生方法。
（項目９）
上記再生情報は、上記特定のコンテンツのアドレスをさらに含むことを特徴とする項目６に記載の移動通信端末機のコンテンツ再生方法。
（項目１０）
上記特定のコンテンツのアドレスは、ＵＲＬからなることを特徴とする項目８に記載の移動通信端末機のコンテンツ再生方法。
（項目１１）
上記コンテンツは、マルチメディアであることを特徴とする項目１に記載の移動通信端末機のコンテンツ再生方法。
（項目１２）
再生中断したコンテンツが選択される段階と、
上記選択されたコンテンツに関する以前の再生情報を保存装置から判読してサーバに上記再生情報による特定の地点からの伝送を要求する段階と、  
上記特定のコンテンツを上記特定の地点から受信して再生する段階と、を含むことを特徴とする移動通信端末機のコンテンツ再生方法。
（項目１３）
上記再生段階中に上記コンテンツの再生中止命令が入力された場合、上記保存装置の上記特定のコンテンツに関する再生情報を更新し、上記コンテンツの再生を中止する段階をさらに含むことを特徴とする項目１２に記載の移動通信端末機のコンテンツ再生方法。
（項目１４）
上記再生中断したコンテンツの選択段階は、
サーバに接続し、開始された１つ以上のコンテンツのうち特定のコンテンツを選択する段階と、
上記選択した特定のコンテンツに関する再生情報が保存装置に保存されているかを検索する段階と、
上記保存装置に上記選択した特定のコンテンツに関する再生情報がある場合、上記特定のコンテンツが再生中断したコンテンツであると決定する段階と、からなることを特徴とする項目１２に記載の移動通信端末機のコンテンツ再生方法。
（項目１５）
上記選択段階は、
再生中断した１つ以上のコンテンツのリストを表示する段階と、
上記表示されたリストから特定のコンテンツが選択される段階と、からなることを特徴とする項目１２に記載の移動通信端末機のコンテンツ再生方法。
（項目１６）
上記表示段階は、
上記保存装置に保存されている上記再生情報を総合及び体系化して表示することを特徴とする項目１５に記載の移動通信端末機のコンテンツ再生方法。
（項目１７）
上記表示段階は、
サーバに接続して上記再生中断した１つ以上のコンテンツのリストを要求した後、上記リストを受信して表示することを特徴とする項目１５に記載の移動通信端末機のコンテンツ再生方法。
（項目１８）
上記再生情報は、クッキーからなることを特徴とする項目１２に記載の移動通信端末機のコンテンツ再生方法。
（項目１９）
上記再生情報は、上記特定のコンテンツの識別子と、既に再生された地点を含むことを特徴とする項目１２に記載の移動通信端末機のコンテンツ再生方法
（項目２０）
上記特定のコンテンツの識別子は、上記特定のコンテンツのコンテンツ名、著作権者、コンテンツ供給者、総再生時間の少なくとも１つからなることを特徴とする項目１９に記載の移動通信端末機のコンテンツ再生方法。
（項目２１）
上記既に再生された地点は、既に再生された時間又は既に再生されたフレーム数に関する情報からなることを特徴とする項目１９に記載の移動通信端末機のコンテンツ再生方法。
（項目２２）
上記再生情報は、上記特定のコンテンツのＵＲＬをさらに含むことを特徴とする項目１９に記載の移動通信端末機のコンテンツ再生方法。
（項目２３）
上記再生情報は、上記サーバのユーザのＩＤ及びパスワードをさらに含むことを特徴とする項目１９に記載の移動通信端末機のコンテンツ再生方法。
（項目２４）
端末機がサーバに接続し、開始された１つ以上のコンテンツのうち特定のコンテンツを選択する段階と、
上記選択された特定のコンテンツに関する上記端末機の以前のセッション情報がセッションデータベース（ＤＢ）に存在するかを上記サーバが検索する段階と、
上記サーバが上記検索の結果によって上記セッション情報を判読して上記端末機に上記特定のコンテンツを上記セッション情報による特定の地点から伝送する段階と、を含むことを特徴とするサーバのコンテンツ提供方法。
（項目２５）
上記端末機が上記選択したコンテンツを全て再生完了した場合、上記選択したコンテンツに関する上記セッション情報は、上記セッションデータベースから削除されることを特徴とする項目２４に記載のサーバのコンテンツ提供方法。
（項目２６）
上記端末機が上記選択したコンテンツを再生中断した場合、上記選択したコンテンツに関する上記セッション情報は、上記セッションデータベースで上記再生が中断された地点に更新反映されることを特徴とする項目２４に記載のサーバのコンテンツ提供方法。
（項目２７）
上記セッション情報が存在する場合、上記サーバが上記端末機に上記特定の地点から再生するか、あるいは最初の地点から再生するか確認する段階をさらに含み、
ここで、上記端末機が上記特定の地点を選択した場合、上記サーバが上記伝送段階を行い、
上記端末機が最初の地点を選択した場合、上記サーバが上記セッション情報を削除して上記端末機に上記コンテンツを最初の地点から伝送することを特徴とする項目２４に記載のサーバのコンテンツ提供方法。
（項目２８）
ＲＦ送受信部と、
ディスプレイ部と、
サウンド出力部と、
コンテンツに関する再生情報を保存し得る保存装置と、
上記ＲＦ送受信部によりサーバからコンテンツを受信し、上記ディスプレイ部及び上記サウンド出力部により再生し得るように、上記ＲＦ送受信部、上記ディスプレイ部、上記サウンド出力部、上記保存装置を制御し得るコントローラと、を含み、  
ここで、そのコントローラは、ユーザが再生しようとする特定のコンテンツが以前に再生中断したことがあるか否かを上記保存装置の上記再生情報により判断し、その判断の結果、上記特定のコンテンツが以前に再生中断した場合には、上記サーバに上記特定のコンテンツを上記再生情報による特定の地点から伝送するように要求し、上記地点から再生し得ることを特徴とする移動通信端末機。
（項目２９）
上記再生情報は、
上記特定のコンテンツのコンテンツ名、アドレス、著作権者、コンテンツ供給者、総再生時間の少なくとも１つからなる識別子と、既に再生された時間と、を含むことを特徴とする項目２８に記載の移動通信端末機。
（項目３０）
ネットワークインタフェースと、
端末機が要求するコンテンツに関するセッション情報を保存し得る保存装置と、
上記ネットワークインタフェースを介して端末機から要求されたコンテンツを送信し得るように、上記ネットワークインタフェース及び上記保存装置を制御し得るコントローラと、を含み、
ここで、そのコントローラは、上記端末機が要求した特定のコンテンツが以前に伝送中断したことがあるか否かを上記保存装置の上記セッション情報により判断し、その判断の結果、上記特定のコンテンツが以前に伝送中断した場合には、上記特定のコンテンツを上記セッション情報による特定の地点から再び伝送し得ることを特徴とするサーバ。
（項目３１）
上記セッション情報は、コンテンツの識別子、ログイン情報、以前のセッション時間からなることを特徴とする項目３０に記載のサーバ。
【発明の効果】
【００２２】
本発明による移動通信端末機は、特定のマルチメディアコンテンツに関する再生情報を記録し、前記特定のコンテンツがその後再び再生要求された場合、前記記録された再生情報によって再生中断した部分から再生し得るという効果がある。また、本発明によるサーバは、特定のコンテンツに関する特定の移動通信端末機のセッション情報を記録し、前記特定のコンテンツがその後再び伝送要求された場合、前記セッション情報によって伝送中断した部分から伝送し得るという効果がある。このような本発明は、ユーザが既に再生した部分を再び見なくてもよく、時間を節約し得るという利点があり、また、以前に再生した部分を見ないようにするためにユーザがマルチメディアコンテンツを探索しなければならない不便さを除去し得るという効果がある。さらに、無線データ通信の料金体系がパケットを基準とする場合には、通信コストを節減し得るという効果がある。
【発明を実施するための最良の形態】
【００２３】
以下、本発明の実施形態について添付図面を参照して詳細に説明する。
【００２４】
図１は本発明による移動通信端末機の構成ブロック図であり、図２は図１に示す本発明による移動通信端末機とサーバとの接続を簡略に示す構成図であり、図３は図２の移動通信端末機の保存装置に保存され得る「再生情報」を示す図である。
【００２５】
図１に示すように、本発明による移動通信端末機１００は、ＲＦ送受信部１１０と、ディスプレイ部１２０と、サウンド出力部１３０と、キー入力部１４０と、保存装置１５０と、コントローラ１６０と、から構成される。
【００２６】
前記ＲＦ送受信部１１０は、電波の送受信のための各電子部品から構成される。ここで、好ましくは、前記ＲＦ送受信部１１０は、ＣＤＭＡ、ＧＳＭ、ＧＰＲＳ、ＴＤＭＡ、ＩＭＴ‐２０００、ＷＣＤＭＡ、ＨＳＤＰＡ方式の通信をサポートするための各電子部品から構成される。前記ＲＦ送受信部１１０は、前記コントローラ１６０と電気的に接続されており、前記コントローラ１６０により制御され、図２のように基地局２０を介してサーバ３０と通信を行うことができる。具体的には、前記ＲＦ送受信部１１０は、前記サーバ３０からストリーミング方式でコンテンツを受信することができる。
【００２７】
一方、前記ディスプレイ部１２０は、液晶表示装置（ＬＣＤ）又は有機発光ダイオード（ＯＬＤＥ）から構成される。また、前記ディスプレイ部１２０は、前記コントローラ１６０と電気的に接続されて制御され、移動通信端末機１００の様々な機能の画面を表示することができる。また、前記ディスプレイ部１２０は、前記ＲＦ送受信部１１０により受信されたコンテンツを再生して表示することができる。
【００２８】
前記サウンド出力部１３０は、前記コントローラ１６０と電気的に接続されて制御される。前記サウンド出力部１３０は、前記移動通信端末機１００の様々な機能によって発生する音声を出力することができる。また、前記サウンド出力部１３０は、前記ＲＦ送受信部１１０により受信されたコンテンツの再生時に音声を出力することができる。
【００２９】
前記キー入力部１４０は、ユーザが入力するためのキーボタン又は前記ディスプレイ部１２０内のタッチパッドから構成され、前記コントローラ１６０と接続されて制御される。
【００３０】
一方、前記保存装置１５０は、フラッシュメモリ、ＮＡＮＤ型フラッシュメモリ、又はハードディスクから構成される。前記保存装置１５０は、前記ＲＦ送受信部１１０により前記サーバ３０から受信されて再生されるコンテンツに関する再生情報を保存することができる。これについて図３を参照して説明する。
【００３１】
前記再生情報は、図３に示すように、コンテンツのアドレス（例えばＵＲＬ）と、サーバに関するログイン情報と、コンテンツの識別子と、移動通信端末機で再生された時間と、から構成される。
【００３２】
ここで、前記再生された時間は、前記移動通信端末機１００にマルチメディアコンテンツを再生した時間であり、好ましくは、実際に再生した時間から約１０秒引いた時間である。また、総再生時間及び前記再生された時間は、変形例として、マルチメディアコンテンツの総フレーム数及び再生されたフレーム数でもよい。さらに、前記識別子は、具体的には、コンテンツ名、著作権者、コンテンツ供給者、及びコンテンツの総再生時間からなる。一方、前記再生情報は、好ましくは、ウェブブラウザのクッキーからなる。
【００３３】
前記再生情報は、ユーザがサーバからコンテンツを受信して再生しようとする時、前記コンテンツが以前に再生されたことがあるか否かを判断し得るようにし、また、前記判断の結果、前記コンテンツが以前に再生が中断したものである場合には、前記コンテンツを再生中断した地点から再生し得るようにする。例えば、前記移動通信端末機１００は、ユーザが選択したｍｍｓ：／／１７２．１６８．０．２／ａ．ａｖｉコンテンツに関する以前の再生情報を判読し、サーバに前記コンテンツを１分３０秒後の部分から伝送するように要求することができる。
【００３４】
このために、前記再生情報は、好ましくは、コンテンツの再生がユーザの要求により中止されるか、又は予期せぬ理由で接続が切断された時にアップデートされ、前記コンテンツの再生が完了すると前記保存装置１５０内から削除される。例えば、ｍｍｓ：／／１７２．１６８．０．２／ｂ．ａｖｉコンテンツが１分１１秒間再生されて中断された場合、前記再生情報の再生時間は１：１１に更新される。また、前記ｍｍｓ：／／１７２．１６８．０．２／ｂ．ａｖｉコンテンツが全て再生された場合、前記ｍｍｓ：／／１７２．１６８．０．２／ｂ．ａｖｉコンテンツに関する再生情報は、前記保存装置１５０内から削除される。
【００３５】
一方、前記コントローラ１６０は、複数の半導体素子から構成され、前記ＲＦ送受信部１１０、前記ディスプレイ部１２０、前記サウンド出力部１３０、前記キー入力部１４０、前記保存装置１５０の制御のために、これらと電気的に接続されている。
【００３６】
具体的には、前記コントローラ１６０は、前述したように、ユーザが再生しようと選択した特定のコンテンツが以前に再生中断したことがあるか否かを前記保存装置１５０の前記再生情報により判断し、該判断の結果、前記特定のコンテンツが以前に再生中断した場合には、前記ＲＦ送受信部１１０により前記サーバに前記特定のコンテンツを再生中断地点から伝送するように要求することができる。
【００３７】
以上、本発明による移動通信端末機の構成を中心に説明した。以下、前述したように、前記再生情報によりコンテンツを再生中断地点から再生し得る動作について説明する。
【００３８】
図４は図１の移動通信端末機で実現され得るコンテンツ再生方法のフローチャートであり、図５は図１の移動通信端末機で実現され得る他のコンテンツ再生方法のフローチャートである。
【００３９】
図４は、ユーザが選択したコンテンツが以前に再生されたことがあるかを前記保存装置１５０の「再生情報」により判断し、該判断の結果、以前に再生されたことがある場合には、前記コンテンツを再生中断した地点から伝送するようにサーバに要求することを特徴とするコンテンツ再生方法について示している。
【００４０】
具体的に説明すると、まず、前記サーバ３０に接続してコンテンツリストを受信すると（Ｓ１０１）、ユーザが前記受信されたリストにより特定のコンテンツを選択する（Ｓ１０２）。
【００４１】
次いで、前記選択した特定のコンテンツに関する以前の再生情報が前記保存装置１５０内に存在するか否かを判断する（Ｓ１０３）。ここで、前記特定のコンテンツに関する以前の再生情報がないと、前記保存装置１５０に再生情報を新たに生成し（Ｓ１０４）、前記特定のコンテンツを最初から伝送するようにサーバに要求する（Ｓ１０５）。
【００４２】
しかし、前記選択した特定のコンテンツに関する以前の再生情報が前記保存装置１５０内に存在すると、前記再生情報を判読し、前記特定のコンテンツを再生中断地点から伝送するようにサーバに要求する（Ｓ１０６）。例えば、図３に示すように、サイオン広告１コンテンツを１分３０秒後からサーバに伝送するように要求することができる。
【００４３】
次いで、前記要求したコンテンツ（Ｓ１０５、Ｓ１０６）を受信して再生する（Ｓ１０７）。
【００４４】
その後、前記コンテンツの再生が中断されると（Ｓ１０８）、前記コンテンツが最後まで再生されたか否かを判断する（Ｓ１０９）。この時、前記コンテンツが最後まで再生された場合、前記保存装置１５０内から前記コンテンツに関する再生情報を削除する（Ｓ１１０）。しかし、前記コンテンツが最後まで再生されていないと、前記保存装置１５０内の前記再生情報をアップデートする（Ｓ１１１）。
【００４５】
一方、図５は、ユーザが再生中断した１つ以上のコンテンツのリストから特定のコンテンツを選択すると、保存装置内に保存された再生情報を判読し、前記特定のコンテンツを再生中断地点から伝送するようにサーバに要求することを特徴とするコンテンツ再生方法について示している。
【００４６】
さらに具体的に説明すると、まず、ユーザが再生中断した１つ以上のコンテンツのリストを要求すると（Ｓ２０１）、保存装置に保存されている以前の再生情報を総合及び体系化してリストに表示する（Ｓ２０２）。ここで、表示される前記リストは、コンテンツ名、総再生時間、再生された時間からなる。
【００４７】
その後、ユーザが前記リストから特定のコンテンツを選択すると（Ｓ２０３）、前記保存装置１５０の再生情報を判読し、前記特定のコンテンツを再生中断地点から伝送するようにサーバに要求する（Ｓ２０４）。次いで、前記サーバから受信されたコンテンツを再生する（Ｓ２０５）
その後、前記コンテンツの再生が中断されると（Ｓ２０６）、前記コンテンツが最後まで再生されたか否かを判断する（Ｓ２０７）。この時、前記コンテンツが最後まで再生された場合、前記保存装置１５０内から前記コンテンツに関する再生情報を削除する（Ｓ２０８）。しかし、前記コンテンツが最後まで再生されていないと、前記保存装置１５０内の前記再生情報をアップデートする（Ｓ２０９）。
【００４８】
以上の２つのコンテンツ再生方法は変形が可能である。例えば、ユーザは、前記選択したコンテンツが以前に再生中断したコンテンツであっても、前記コンテンツが再生中断した地点から再生せず、最初の地点から再生させることができる。これは、ユーザの意思によって再生開始部分を選択し得るようにしたものであり、再生が中断されてしばらく経ってから再び同一のコンテンツを再生する場合、ユーザがコンテンツの内容を忘れて記憶していない場合に対応するためである。
【００４９】
また、他の変形例として、ユーザが前記再生中断した１つ以上のコンテンツのリストを要求すると（Ｓ２０１）、サーバに接続して前記再生中断した１つ以上のコンテンツのリストを受信して表示することもできる。
【００５０】
以上、移動通信端末機が再生情報を記録、保存し、該再生情報を利用してコンテンツが再生中断した部分からサーバに伝送要求する特徴について説明した。
【００５１】
以下、これと同様にサーバがセッション情報を記録、保存し、端末機に伝送中断した部分から再び伝送し得るように構成された本発明によるサーバと、その動作について説明する。
【００５２】
図６は本発明によるサーバの構成ブロック図であり、図７は図６のサーバの保存装置に保存され得る「セッション情報」を示す図である。
【００５３】
図６に示すように、本発明によるサーバ３００は、ネットワークインタフェース３１０と、プロセッサ３２０と、保存装置３３０と、から構成されることが分かる。
【００５４】
前記ネットワークインタフェース３１０は、ＡＴＭ、イーサネット（登録商標）などの有線方式でパケットデータを送受信するための各電子部品から構成される。また、前記ネットワークインタフェース３１０は、前記プロセッサ３０２と接続されて制御される。
【００５５】
前記プロセッサ３２０は、トランジスタなどの各電子部品から構成され、前記ネットワークインタフェース３１０及び前記保存装置３３０と電気的に接続されている。前記プロセッサ３２０は、前記ネットワークインタフェース３１０を介して移動通信端末機にマルチメディアコンテンツをストリーミング方式で送信することができて、前記コンテンツに関する前記移動通信端末機とのセッション情報をデータベース化して前記保存装置３３０に保存及びアップデートすることができる。
【００５６】
前記保存装置３３０は、保存装置又はハードディスクから構成され、前記プロセッサ３２０により制御され、セッション情報を記録及び判読することができる。前記セッション情報は、図７に示すように、コンテンツアドレスと、コンテンツ識別子と、ログイン情報と、セッション時間と、を含む。ここで、前記セッション時間は、移動通信端末機にマルチメディアコンテンツを送信した時間であり、好ましくは、実際に送信した時間から約１０秒引いた時間である。また、前記識別子は、具体的には、コンテンツ名、著作権者、コンテンツ供給者、コンテンツの総再生時間からなる。
【００５７】
前記セッション情報は、移動通信端末機の要求により前記サーバ３００が移動通信端末機にコンテンツを送信しようとする時、前記移動通信端末機が前記コンテンツを以前に受信して再生したことがあるか否かを判断し得るようにし、該判断の結果、前記移動通信端末機がコンテンツを以前に受信して再生したことがあるが、再生を完了し得なかった場合には、前記コンテンツを伝送中断部分から再び伝送して前記移動通信端末機がその地点から再生し得るようにする。
【００５８】
従って、前記セッション情報は、好ましくは、前記コンテンツの送信が移動通信端末機のユーザの要求により中止されるか、又は予期せぬ理由で接続が切断された時にアップデートされ、前記コンテンツの伝送が完了すると、前記保存装置３０３内から削除される。
【００５９】
以上、本発明によるサーバの構成を中心に説明した。以下、前述したように、前記セッション情報によりコンテンツを伝送中断した地点から再び伝送し得る動作について説明する。
【００６０】
図８は図６のサーバで実現され得るコンテンツ提供方法のフローチャートである。
【００６１】
図８に示すように、まず、端末機が前記サーバ３００にログインを要求すると（Ｓ３０１）、ＩＤ及びパスワードが一致すると前記端末機のログインを許可する（Ｓ３０２）。
【００６２】
次いで、前記端末機が特定のコンテンツの伝送を要求すると（Ｓ３０３）、前記特定のコンテンツに関する以前のセッション情報が前記保存装置３３０に存在するか否かを判断する（Ｓ３０４）。ここで、前記特定のコンテンツに関する以前のセッション情報がないと、前記保存装置３３０にセッション情報を新たに生成し（Ｓ３０５）、前記特定のコンテンツを最初から伝送する（Ｓ３０６）。
【００６３】
しかし、前記特定のコンテンツに関する以前のセッション情報が前記保存装置３３０内に存在すると、前記セッション情報を判読し、前記特定のコンテンツを伝送中断地点から伝送する（Ｓ３０７）。
【００６４】
その後、前記コンテンツの伝送が中断されると（Ｓ３０８）、前記コンテンツが全て伝送されたか否かを判断する（Ｓ３０９）。ここで、前記コンテンツが全て伝送された場合、前記保存装置３３０内から前記コンテンツに関するセッション情報を削除する（Ｓ３１０）。しかし、前記コンテンツが全て伝送されていないと、前記保存装置３３０内の前記セッション情報をアップデートする（Ｓ３１１）。
【００６５】
本発明は、前述した実施形態及び添付図面に限定されるものではなく、本発明が属する技術の分野における通常の知識を有する者が本発明の技術的な思想を逸脱しない範囲内で多様に変形及び変更が可能である。
【００６６】
本発明は、保存装置にコンテンツの再生情報を保存し、コンテンツの再生時に前記再生情報を判読し、再生中断した地点から再び受信して再生し得るようにした移動通信端末機及びその方法を提供する。
【００６７】
本発明による移動通信端末機のコンテンツ再生方法は、サーバに接続し、開始された１つ以上のコンテンツのうち特定のコンテンツを選択する段階と、前記選択した特定のコンテンツに関する以前の再生情報が保存装置に保存されているかを検索する段階と、前記検索の結果により、前記再生情報を判読して前記特定のコンテンツを前記再生情報による特定の地点から伝送するように前記サーバに要求する段階と、前記特定のコンテンツを前記特定の地点から受信して再生する段階と、を含むことを特徴とする。
【００６８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【００６９】
【図１】本発明による移動通信端末機の構成ブロック図である。
【図２】図１に示す本発明による移動通信端末機とサーバとの接続を簡略に示す構成図である。
【図３】図１の移動通信端末機の保存装置に保存され得る「再生情報」を示す図である。
【図４】図１の移動通信端末機で実現され得るコンテンツ再生方法のフローチャートである。
【図５】図１の移動通信端末機で実現され得る他のコンテンツ再生方法のフローチャートである。
【図６】本発明によるサーバの構成を示すブロック図である。
【図７】図６のサーバの保存装置に保存され得る「セッション情報」を示す図である。
【図８】図６のサーバで実現され得るコンテンツ提供方法のフローチャートである。
【符号の説明】
【００７０】
１００：移動通信端末機
１１０：ＲＦ送受信部
１２０：ディスプレイ部
１３０：サウンド出力部
１４０：キー入力部
１５０：保存装置
１６０：コントローラ
３００：サーバ
３１０：ネットワークインタフェース
３２０：プロセッサ
３３０：保存装置
【図１】
2007097163.tif 000003
【図２】
2007097163.tif 000004
【図３】
2007097163.tif 000005
【図４】
2007097163.tif 000006
【図５】
2007097163.tif 000007
【図６】
2007097163.tif 000008
【図７】
2007097163.tif 000009
【図８】
2007097163.tif 000010